(57)【要約】      （修正有）【課題】家の玄関口などで脱いだ履き物を、リモコン操作で簡単に向きを変更することができる履物方向転換機を提供する。【解決の手段】底付きの円筒形状をなし上側を開口側として底壁に、置かれた履物が側周壁により外側へずり落ちないようにするマット７と、前記マットの下面に固定されるボス付き円板形状の回転台６と、前記回転台のボスに内挿される主軸棒９を一体に有し、前記回転台を前記主軸棒の軸線周りに回転可能に支持する箱体１と、を設ける。又、前記箱体の内部には、ブレーキ付き電動モータ２と、該電動モータにギヤ結合されるギヤボックス３と、その出力軸に固定されるモータ側Ｖプーリ４と、前記回転台のボスの外周面に固定される回転台側Ｖプーリと、その回転台側Ｖプーリ５と前記モータ側Ｖプーリとに巻き掛けられ前記ブレーキ付き電動モータの回転運動を前記回転台の回転運動に変換するＶベルト１８とを配して構成する。操作は、電動モータをリモコンにより、入切することで実施する。【選択図】図１
0003164542.tif 000002
【実用新案登録請求の範囲】
【請求項１】
人の出入りする家や店の玄関口に置く、その履物台の上に脱いだ履物を、箱内に設けてあるブレ−キ付電動モ−タ−により履物の方向を回転して変える履物の方向転換器機であって、
前記の履物の方向転換器機は、平面視が相撲の土俵面状をなし最上には履物のずれ出しを防止するマツトを覆った回転台とその下のｖ型ベルトプ−リ−と一体の回転物を、《マツトは外した》支柱の頭からベアリングと共に下方に向けて押付けてから、ｖ型ベルトプ−リ−と、電動モ−タ−のギヤ−ボクスから出ている、ｖ型プ−リ−をｖ型ベルトで繋ぎ、箱の蓋を閉じてから、電動モ−タ−の電源に磁石式ソケツトで入電してからリモコンで、操作する又、始動や停止は目視で適切な位置で始動や停止の出来る事が特徴の、履物方向転換器機。
【考案の詳細な説明】
【技術分野】
【０００１】本考案は、人の履く履物の方向を変える、履物方向転換器機である。
【背景技術】
【０００２】従来、人の住む家の玄関には履物箱《下駄箱》の他に履物台等はなく外出の時には、履物の向きを変えるのに腰を屈めて手で変えるか、片足で立ち、片足で履物の向きを変えるかである。
【考案の開示】
【考案が解決しょうとする課題】
【０００３】人が出入りする住家や座敷のある店などでは、中に入るには履物を、脱いで入るが、その時に履物の向きを変えて入る人は少ない。
【課題の解決の手段】
【０００４】そこで本考案の履物方向転換器機は、リモコン操作の電動器機なので老人にでも簡単に操作の出来る、履物方向転換器機の提供である。
【考案の効果】
【０００５】上記のように部屋とか座敷に上がる時に履物を回転台の上に脱げば、リモコンの操作で簡単に履物の向きを好みの位置で止められる。
【最良の形態】
【０００６】家族や出入りする人達の人数にもよるが、成人用一人分の履物方向転換器機を、複数据え置くか、成人四人分用の履物の方向転換器機を、据え置くかは利便上を考えて、決めればよい又、リモコンの設置場所はその家の作りにより適所を選べば良い。
【図面の簡単な説明】
【０００７】
【図１】履物方向転換器機の一部、断面、平面図
【図２】履物方向転換器機の一部、断面、側面図
【符号の説明】
【０００８】  １    履物方向転換器機の箱
２    履物方向転換器機の電動モ−タ−
３    履物方向転換器機の電動モ−タ−ギヤ−ボツクス
４    履物方向転換器機の電動モ−タ−のｖ型プ−リ−
５    履物方向転換器機のｖ型大型、プ−リ−
６    履物方向転換器機の、回転台
７    履物方向転換器機の履物の、はみだし防止用マツト
８    履物方向転換器機の箱蓋
９    履物方向転換器機の、主軸棒
１０    履物方向転換器機の、主軸棒用のベアリング
１１    履物方向転換器機の、箱蓋の空間
１２    履物方向転換器機の、主軸棒用ナツト
１３    主軸棒用ナツト用割り、ピン
１４    履物方向転換器機の回転台の、滑り受け台
１５    履物方向転換器機の安定、調節台
１６    電動モ−タ−の磁石式、ソケツト電源、当て台
１７    履物方向転換器機の箱蓋の取り付けネジ
１８    ｖ型ベルト
１９    電動モ−タ−の取り付けネジ
【図１】
0003164542.tif 000003
【図２】
0003164542.tif 000004
【手続補正書】
【提出日】平成22年9月23日(2010.9.23)
【手続補正１】
【補正対象書類名】実用新案登録請求の範囲
【補正対象項目名】全文
【補正方法】変更
【補正の内容】
【実用新案登録請求の範囲】
【請求項１】
履物の方向を変える履物方向転換器機であって、
底付きの円筒形状をなし上側を開口側として底壁に履物を置くようにし、置かれた履物が側周壁により外側へずり落ちないようにするマットと、
前記マットの下面に固定されるボス付き円板形状の回転台と、
前記回転台のボスにラジアルベアリングを介して内挿される主軸棒を一体に有し、前記回転台を前記主軸棒の軸線周りに回転可能に支持する箱体と、を備え、
前記箱体の内部には、ブレーキ付き電動モータと、そのブレーキ付き電動モータにギヤ結合されるギヤボックスと、そのギヤボックスの出力軸に固定されるモータ側Ｖプーリと、前記回転台のボスの外周面に固定される回転台側Ｖプーリと、その回転台側Ｖプーリと前記モータ側Ｖプーリとに巻き掛けられ前記ブレーキ付き電動モータの回転運動を前記回転台の回転運動に変換するＶベルトとが収容される一方、前記箱体の外部には、前記ブレーキ付き電動モータに電力を供給するための磁石式電源ソケットが設けられており、
前記磁石式電源ソケットを通して外部から前記ブレーキ付き電動モータに電力が供給された状態で、そのブレーキ付き電動モータを駆動又は駆動停止するリモコン操作に応じて前記回転台を所望の位置へ向けて回転・停止することにより、その回転台上の履物の方向を変えることを特徴とする履物方向転換器機。
【手続補正２】
【補正対象書類名】明細書
【補正対象項目名】０００６
【補正方法】変更
【補正の内容】
【０００６】  家族や出入りする人達の人数にもよるが、成人用一人分の履物方向転換器機を、複数据え置くか、成人用四人分の履物方向転換器機を、据え置くかは利便上を考えて決めればよい。また、リモコンの設置場所はその家の作りにより適所を選べば良い。
以下、本考案の履物方向転換器機について、図１及び図２を参照して説明する。履物方向転換器機は、回転台６と、箱１及び箱蓋８からなる箱体とを含んで構成されている。回転台６は、ボス付き円板形状をなし、その上面にマット７が固定されている。マット７は、底付きの円筒形状をなし上側を開口側として底壁に履物が置かれ、置かれた履物が側周壁により外側へずり落ちないように形成されている。箱１には主軸棒９の基端が固定されている。主軸棒９は、回転台６のボスにラジアルベアリング１０を介して内挿されている。これにより、回転台６は、箱１に主軸棒９の軸線周りに回転可能に支持されている。なお、回転台６は、箱蓋８の上面に設けられた円環状の滑り受け台１４に接触することによって、主軸棒９の軸線周りに安定して回転するように構成されている。また、主軸棒９の先端は回転台６を貫通し、ナット１２により回転台６に締結され、割りピン１３によりナット１２の主軸棒９に対する離脱が防止されている。ナット１２とマット７との間には所定の隙間が形成され、マット７の回転時にナット１２と接触しないように構成されている。回転台６のボスは、箱蓋８に形成された開口空間１１を通して箱１の内部に向けて延び出している。箱１の内部には、ブレーキ付き電動モータ２と、そのブレーキ付き電動モータ２にギヤ結合されたギヤボックス３と、そのギヤボックス３の出力軸に固定されたモータ側Ｖプーリ４と、回転台６のボスの外周面に固定された回転台側Ｖプーリ５と、その回転台側Ｖプーリ５とモータ側Ｖプーリ４とに巻き掛けられブレーキ付き電動モータ２の回転運動を回転台６の回転運動に変換するＶベルト１８とが収容される一方、箱１の外部には、ブレーキ付き電動モータ２に電力を供給するための磁石式電源ソケット１６が設けられている。そして、ブレーキ付き電動モータ２は、図示を省略するリモコンの操作により、駆動・停止されるように構成されている。
上記した履物方向転換器機においては、磁石式電源ソケット１６を通して外部からブレーキ付き電動モータ２に電力が供給された状態で、ブレーキ付き電動モータ２を駆動又は駆動停止するようにリモコン操作すれば、回転台６を所望の位置へ向けて回転・停止させることができる。これにより、回転台６のマット７に置かれた履物の方向を自由に変えることができる。